(57)【要約】【課題】指にフィットし易く、取り外し等の操作がし易いイヤホンを提供する。【解決手段】ドライバ本体１１と、耳甲介Ｙに接する第１端３１、および第１端３１と反対側に位置する第２端３２を有する突出部１７と、を備える。【選択図】図５
2019022059.tif 000002
【特許請求の範囲】
【請求項１】
ドライバ本体と、
耳甲介に接する第１端、および該第１端と反対側に位置する第２端を有する突出部と、
を備えたイヤホン。
【請求項２】
前記ドライバ本体は、凹曲面の外側面を有する、
請求項１に記載のイヤホン。
【請求項３】
前記突出部は、凹曲面の外側面を有する、
請求項１または２に記載のイヤホン。
【請求項４】
前記突出部は、前記ドライバ本体に着脱可能である
請求項１から請求項３の何れかに記載のイヤホン。
【請求項５】
前記凹曲面は複数形成され、
複数の前記凹曲面は、対向するように構成されている、
請求項２から請求項４の何れかに記載のイヤホン。
【請求項６】
前記突出部は通気孔を有する、
請求項１から請求項５の何れかに記載のイヤホン。
【発明の詳細な説明】
【技術分野】
【０００１】
本発明は、耳甲介に装着するイヤホンに関する。
【背景技術】
【０００２】
耳甲介への密着性を高め、耳から抜け落ち難いイヤホン装置が開示されている（特許文献１）。
【０００３】
特許文献１に記載のイヤホン装置は、ハウジングに取り付けられたイヤホルダを備えている。また、イヤホルダは、ハウジングの一部を取り囲むリング部と、リング部からその径方向に突出した凸部と、を備えている。利用者は、イヤホン装置の装着時に凸部を耳甲介と対耳珠との間に位置させることにより、耳甲介への密着性を向上させる。
【先行技術文献】
【特許文献】
【０００４】
【特許文献１】特開２０１５−０７６８５６号公報
【発明の概要】
【発明が解決しようとする課題】
【０００５】
しかしながら、特許文献１に記載のイヤホン装置において、イヤホン装置自体は把持し難い形状であるため、取り外し等の操作がし難い。また、凸部の付け替えもハウジングからリング部ごと引き剥がす必要があるため、扱い難い。
【０００６】
そこで、本発明の目的は、指にフィットし易く、取り外し等の操作が容易であるイヤホンを提供することにある。
【課題を解決するための手段】
【０００７】
本発明に係るイヤホンは、ドライバ本体と、耳甲介に接する第１端、および該第１端と反対側に位置する第２端を有する突出部と、を備えることを特徴とする。
【発明の効果】
【０００８】
本発明によれば、指にフィットし易く、取り外し等の操作が容易となる。
【図面の簡単な説明】
【０００９】
【図１】図１は、第１実施形態に係るイヤホンを耳に装着した状態を示す図である。
【図２】図２（Ａ）は、第１実施形態に係るイヤホンを示す正面図である。図２（Ｂ）は、第１実施形態に係るイヤホンを示す背面図である。
【図３】図３（Ａ）は、第１実施形態に係るイヤホンを示す右側面図である。図３（Ｂ）は、第１実施形態に係るイヤホンを示す左側面図である。
【図４】図４（Ａ）は、第１実施形態に係るイヤホンを示す上面図である。図４（Ｂ）は、第１実施形態に係るイヤホンを示す底面図である。
【図５】図５（Ａ）及び図５（Ｂ）は、第１実施形態に係るイヤホンを把持した状態の一例を示した図である。
【図６】図６（Ａ）は、突出部を取り外した状態の第１実施形態に係るイヤホンを示す正面図である。図６（Ｂ）は、突出部を取り外した状態の第１実施形態に係るイヤホンを示す上面図である。図６（Ｃ）は、第１実施形態に係る突出部のドライバ本体への係合状態を説明するための概念図である。
【図７】図７は、第２実施形態に係る突出部のドライバ本体への係合状態を説明するための概念図である。
【図８】図８（Ａ）〜（Ｃ）は、第３実施形態に係る突出部を説明するための概念的な断面図である。
【図９】図９は、第４実施形態に係る突出部を説明するための概念的な断面図である。
【発明を実施するための形態】
【００１０】
図１は、第１実施形態に係るイヤホンを耳に装着した状態を示す図である。図２（Ａ）は、第１実施形態に係るイヤホンを示す正面図である。図２（Ｂ）は、第１実施形態に係るイヤホンを示す背面図である。図３（Ａ）は、第１実施形態に係るイヤホンを示す右側面図である。図３（Ｂ）は、第１実施形態に係るイヤホンを示す左側面図である。図４（Ａ）は、第１実施形態に係るイヤホンを示す上面図である。図４（Ｂ）は、第１実施形態に係るイヤホンを示す底面図である。図５（Ａ）及び図５（Ｂ）は、第１実施形態に係るイヤホンを把持した状態の一例を示した図である。以下、図１〜図５（Ｂ）を参照しながら第１実施形態に係るイヤホンについて説明する。
【００１１】
図１〜図４（Ｂ）に示すように、イヤホン１は、本体１１、挿入部１２、及びケーブル引出部１３を備えている。挿入部１２及びケーブル引出部１３は、本体１１に其々連続して形成されている。
【００１２】
本体１１は、表面１１１、外側面１１２、及び裏面１１３を備える。本体１１は、ドライバ本体１０と突出部１７とを有する。ドライバ本体１０は、概ね円筒状に形成されている。なお、ドライバ本体１０の形状は円筒状に限られず、多角柱状、又は球状等であってもよい。ドライバ本体１０は、不図示のドライバを内部空間に内蔵している。通常ドライバは、円筒状であるためドライバ本体１０が円筒状であると収納され易く無駄な空間を少なくできる。
【００１３】
なお、本体１１は、ドライバ本体１０に内部空間と外部とを連通する不図示の通気孔を設けてもよい。これにより、ドライバ本体１０の内部空間に配置されているドライバの動作を向上させることができ、音をより正確に再現することができる。また、通気孔の大きさをコントロールすることにより、主に低音領域の音質を調整することができる。
【００１４】
挿入部１２は、ドライバ本体１０の外側面１１２及び裏面１１３から外部へ向けて突出するように形成されている。挿入部１２は、外耳道に挿入されることにより、外耳道にフィットする。挿入部１２の表面は、可撓性のある樹脂などで覆われている。挿入部１２の表面に用いられる樹脂としては、例えば、シリコーンゴム、ポリウレタン樹脂、又はエポキシ樹脂等が挙げられる。
【００１５】
ケーブル引出部１３は、概ね筒状に形成されている。ケーブル引出部１３の一端はドライバ本体１０と接続されており、他端はケーブル１４と接続されている。ケーブル引出部１３の他端は、耳に装着した時に後側が前側に比べて短くなるように形成されている。これにより、耳に装着した時にケーブル１４が後側に曲がり易くなる。従って、ケーブル１４は、利用者の背中側に引き回しされ易くなる。
【００１６】
ケーブル引出部１３は、ある程度弾力性のある素材から形成されている。ケーブル１４は通常可撓性のある素材から成るため、ケーブル引出部１３の他端付近におけるケーブル１４の急な折れ曲がりを防止することができる。
【００１７】
本体１１は、突出部１７を有する。突出部１７は、第１端３１及び、第１端３１と反対側に位置する第２端３２を有する。第１端３１は、イヤホン１の装着時に耳甲介Ｙに接する側に位置する。第１端３１は、概ね表面１１１と同心円上の一部として形成されている。すなわち、第１端３１は、滑らかな弧に形成されている。このため、第１端３１は、耳甲介Ｙにフィットし易い形状である。また、第１端３１は、イヤホン１の装着時に耳甲介Ｙに接する際の違和感を減少させることができる。
【００１８】
突出部１７は、ドライバ本体１０から着脱可能である。突出部１７のドライバ本体１０に対する着脱については、後で説明する。
【００１９】
突出部１７の表面は、可撓性を有する。突出部１７の表面に用いられる樹脂としては、例えば、シリコーンゴム、ポリウレタン樹脂、又はエポキシ樹脂等が挙げられる。これにより、さらに耳甲介Ｙに対するフィット感を向上させることができる。なお、突出部１７の表面は、細かい凹凸を設けてもよい。これにより、突出部１７の表面と耳甲介Ｙとの間に摩擦が生じるため、さらに耳甲介Ｙに対するフィット感を高めることができる。
【００２０】
なお、突出部１７は複数あり、其々異なるサイズを有していてもよい。例えば、突出部１７として第１端３１から第２端３２の長さが異なる複数の種類を有する場合がある。この場合、人の耳のサイズに応じて突出部１７を付け替えることができるため、さらに耳甲介Ｙに対するフィット感を向上させることができる。また、突出部１７を外した状態でイヤホン１を使用することも可能である。
【００２１】
図２（Ａ）に示すように、本体１１は、外形において第１凹曲面２１、第２凹曲面２２、及び第３凹曲面２３が外側面１１２に構成されている。第１凹曲面２１、第２凹曲面２２、及び第３凹曲面２３は、曲線状に本体１１の内側に湾曲している。第１凹曲面２１及び第３凹曲面２３は、ドライバ本体１０及び突出部１７に亘って形成されている。第２凹曲面２２は、ドライバ本体１０及びケーブル引出部１３に亘って形成されている。このため、図５（Ａ）に示すように、人が指でイヤホン１を把持する際に、指がフィットし易い。例えば、第１凹曲面２１、第２凹曲面２２、及び第３凹曲面２３に人差し指Ｆ、中指Ｓ、及び親指Ｔの腹がそれぞれ沿いやすくなる。これにより、利用者の指がイヤホン１にフィットし易く、イヤホン１を耳に取り付ける、又は耳から取り外す等の操作が容易となる。
【００２２】
なお、第１凹曲面２１及び第３凹曲面２３は、図２（Ａ）に示すようにドライバ本体１０及び突出部１７に亘って形成されるものに限定されず、ドライバ本体１０又は突出部１７のうちいずれか一方に形成されていればよい。例えば、後に詳細に説明する第２実施形態のように突出部１７にのみ凹曲面が形成されるものであってもよい。
【００２３】
また、図５（Ｂ）に示すように、第１凹曲面２１及び第３凹曲面２３は、それぞれの凹曲面が対向するように構成されている。これにより、突出部１７を本体１１のドライバ本体１０に着脱する際に、第１凹曲面２１及び第３凹曲面２３が人差し指Ｆ及び親指Ｔの腹に沿い、突出部１７が把持されやすくなる。従って、突出部１７の着脱がし易くなる。
【００２４】
図３（Ａ）及び図３（Ｂ）に示すように、ドライバ本体１０及びケーブル引出部１３の接続部分は、第４凹曲面２４が構成されている。第４凹曲面２４は、曲線状に本体１１の内側に湾曲している。これにより、正面側に凹曲面が形成される。このため、第４凹曲面２４に指を沿えることにより、イヤホン１を耳に押し込む方向へ力をかけ易くなる。
【００２５】
図２（Ａ）及び図２（Ｂ）に示すように、ケーブル引出部１３の他端は、凸曲面２５が構成されている。凸曲面２５は、曲線状にケーブル引出部１３の外側に湾曲している。これにより、正面側に凸曲面が形成される。第３凹曲面２３に連続してするように凸曲面２５が形成されている。このため、イヤホン１は正面から見た時に、曲線が連続しているため外観上の美しさを呈する。
【００２６】
なお、本実施形態において、第１凹曲面２１、第２凹曲面２２、第３凹曲面２３、及び第４凹曲面２４の４か所の凹曲面が構成されているが、少なくとも1つの凹曲面が外側面１１２に構成されていればよい。例えば、第１凹曲面２１のみ構成されている場合であっても、把持し易い箇所ができるために、安定して把持することができる。
【００２７】
また、第１凹曲面２１、第２凹曲面２２、第３凹曲面２３、及び第４凹曲面２４は、曲線状に形成されているが、表面に細かい凹凸を設けてもよい。これにより、第１凹曲面２１、第２凹曲面２２、第３凹曲面２３、及び第４凹曲面２４と、指との間に摩擦が生じるため、さらに把持し易くなる。
【００２８】
図６（Ａ）は、突出部を取り外した状態の第１実施形態に係るイヤホンを示す正面図である。図６（Ｂ）は、突出部を取り外した状態の第１実施形態に係るイヤホンを示す上面図である。図６（Ｃ）は、第１実施形態に係る突出部のドライバ本体への係合状態を説明するための概念図である。以下、図６（Ａ）〜図６（Ｃ）を参照しながら突出部１７のドライバ本体１０に対する着脱について説明する。
【００２９】
図６（Ａ）〜図６（Ｃ）に示すように、ドライバ本体１０は、突出部１７と接する面において凹部６１を有する。一方突出部１７は、ドライバ本体１０と接する面において凸部６２を有する。凸部６２の凹部６１への嵌め込み方法は、例えばスナップ式を用いられる。従って、凸部６２は凹部６１に着脱可能に嵌め込まれる。これにより、突出部１７をドライバ本体１０に着脱することができる。
【００３０】
なお、凸部６２の凹部６１への嵌め込み方法は、他に、突出部１７をドライバ本体１０に着脱することができる方法であれば用いることができる。例えば、凹部６１と凸部６２とを異なる素材で形成する方法が挙げられる。
【００３１】
詳細に説明すると、凹部６１は、可撓性を有さない素材で形成されている。例えば、塩化ビニル、ポリプロピレン等が挙げられる。これに対して、突出部１７の表面は、可撓性を有する。このため、凸部６２は、可撓性を有する素材で形成されている。また、凸部６２の形状は、若干凹部６１より大きく形成されている。これにより、凸部６２が凹部６１に嵌め込まれることにより、凸部６２は変形しつつ凹部６１に密着できる。これにより、凸部６２は凹部６１に着脱可能に嵌め込むことができる。
【００３２】
ここで、ドライバ本体１０には第１凹曲面２１、第２凹曲面２２及び第３凹曲面２３が構成されている。このため、ドライバ本体１０及び突出部１７が其々指で把持され易い。このため、突出部１７が小さい場合においても、突出部１７をドライバ本体１０に着脱し易い。
【００３３】
図７は、第２実施形態に係る突出部のドライバ本体への係合状態を説明するための概念図である。以下、図７を参照しながら第２実施形態に係る突出部のドライバ本体への係合状態を説明する。なお、第２実施形態においては、第２実施形態と突出部のドライバ本体への係合状態のみ異なるため、その他の構造については説明を省略する。
【００３４】
図７に示すように、イヤホン７はドライバ本体７０及び突出部７７を備える。ドライバ本体７０は突出部７７側の一部が突出した概ね円筒状に形成されている。ドライバ本体７０は突出部７７と接する面において凸部７２を有する。一方突出部７７は、ドライバ本体７０と接する面において凹部７１を有する。
【００３５】
凸部７２の凹部７１への嵌め込み方法は、第１実施形態と同様に例えばスナップ式が用いられる。従って、凸部７２は凹部７１に着脱可能に嵌め込まれる。これにより、突出部１７をドライバ本体７０に着脱することができる。
【００３６】
なお、凸部７２の凹部７１への嵌め込み方法においても、凹部７１と凸部７２とを異なる素材で形成する方法を用いることができる。この場合において、
凸部７２は、可撓性を有さない素材で形成されている。例えば、塩化ビニル、ポリプロピレン等が挙げられる。これに対して、凹部７１は、可撓性を有する素材で形成されている。また、凸部７２の形状は、若干凹部７１より大きく形成されている。これにより、凸部７２が凹部７１に嵌め込まれることにより、凸部７２は変形しつつ凹部７１に密着できる。従って、凸部７２は凹部７１に着脱可能に嵌め込まれる。これにより、突出部１７をドライバ本体７０に着脱することができる。
【００３７】
図８（Ａ）〜（Ｃ）は、第３実施形態に係る突出部を説明するための概念的な断面図である。以下、図８（Ａ）〜（Ｃ）を参照しながら第３実施形態に係る突出部について説明する。なお、第３実施形態においては、第１実施形態と突出部のみ異なるため、その他の構造については説明を省略する。
【００３８】
図８（Ａ）に示すように、イヤホン８はドライバ本体８０及び突出部８７を備える。ドライバ本体８０は内部空間８１及び内部空間８１に連通する通気孔８２を有する。突出部８７は内部に通気孔を有さない構造である。ドライバ本体８０に突出部８７が装着されることにより、突出部８７は内部空間８１を密閉する。これにより、内部空間８１に存在するドライバの追従性を向上させることができるため、音質を調整することができる。
【００３９】
図８（Ｂ）に示すように、イヤホン８はドライバ本体８０及び突出部８８を備える。突出部８８は、通気孔８３を備える。通気孔８３は、通気孔８２より細く形成されている。ドライバ本体８０に突出部８８が装着されることにより、通気孔８３は、通気孔８２と連通する。通気孔８３は、ドライバ本体８０の内部空間８１と外部とを連通させる。従って、内部空間８１に存在するドライバの振幅を向上させることができ、低音領域の音をより強くすることができる。
【００４０】
図８（Ｃ）に示すように、イヤホン８はドライバ本体８０及び突出部８９を備える。突出部８９は、通気孔８４を備える。通気孔８４は、通気孔８２と同等の太さに形成されている。ドライバ本体８０に突出部８９が装着されることにより、通気孔８４は、通気孔８２と連通する。通気孔８４は、ドライバ本体８０の内部空間８１と外部とを連通させる。従って、内部空間８１に存在するドライバの振幅をさらに向上させることができ、低音領域の音をさらに強くすることができる。
【００４１】
このように、通気孔８３及び通気孔８４の形状を変化することにより、音質を調整することができる。また、通気孔８３及び通気孔８４の形状はこれに限られず、波形状、又はジグザグ形状等、適宜変更可能である。また、通気孔８３及び通気孔８４の途中にフィルタを設けることによっても音の調整をすることができる。
【００４２】
従って、突出部８７、突出部８８、及び突出部８９をドライバ本体８０から付け替えることにより、ドライバ本体８０を変更することなく、音質の調整をすることができる。
【００４３】
図９は、第４実施形態に係る突出部を説明するための概念的な断面図である。以下、図９を参照しながら、第４実施形態に係る突出部について説明する。なお、第４実施形態においては、第１実施形態と突出部のみ異なるため、その他の構造については説明を省略する。
【００４４】
図９に示すように、イヤホン９はドライバ本体１０及び突出部９７を備える。突出部９７は、枝分かれした形状である。詳細に説明すると、突出部９７は、第１突出端９８及び第２突出端９９を備える。突出部９７は、第２端３２から第１端３１に向かって枝分かれし、第１端３１がそれぞれ第１突出端９８及び第２突出端９９を構成する。すなわち、第１端３１は、不連続に二箇所形成される。第１端３１において耳甲介Ｙに接する箇所が二箇所形成される。このため、突出部９７から耳甲介Ｙにかかる力は二方向へ分散される。これにより、突出部９７の耳へのフィット感を高めることができる。また、突出部９７がドライバ本体１０の周方向に連続的に形成されないため、軽量化が図れる。従ってイヤホン９の耳へかかる負担を減らすことができる。
【００４５】
なお、イヤホン９について、図９において二方向に分岐させた例について説明したが、二方向への分岐には限定されない。例えば、突出部９７を複数の放射状に形成することも可能である。これにより、耳へのフィット感を高めることができる。さらに、第３実施形態で示したように、各突出部９７に通気孔８３を有することにより、音の調整にバリエーションを持たせることができる。
【符号の説明】
【００４６】
１、７、８、９…イヤホン
１０、７０、８０…ドライバ本体
１２…挿入部
１３…ケーブル引出部
１７、７７、８７、８８，８９、９７…突出部
２１、２２、２３、２４…凹曲面
３１…第１端
３２…第２端
８３、８４…通気孔
１１２…外側面
【図１】
2019022059.tif 000003
【図２】
2019022059.tif 000004
【図３】
2019022059.tif 000005
【図４】
2019022059.tif 000006
【図５】
2019022059.tif 000007
【図６】
2019022059.tif 000008
【図７】
2019022059.tif 000009
【図８】
2019022059.tif 000010
【図９】
2019022059.tif 000011
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
ドライバ本体と、
第１端、および当該第１端と反対側に位置し、前記ドライバ本体に接続される第２端を有する突出部と、
を備えたイヤホンであって、
前記第１端は、耳甲介に接することを特徴とするイヤホン。
【請求項２】
前記ドライバ本体は、凹曲面の外側面を有する、
請求項１に記載のイヤホン。
【請求項３】
前記突出部は、凹曲面の外側面を有する、
請求項１または請求項２に記載のイヤホン。
【請求項４】
前記凹曲面は複数形成され、
複数の前記凹曲面は、対向するように構成されている、
請求項２または請求項３に記載のイヤホン。
【請求項５】
前記突出部は、前記ドライバ本体に着脱可能である
請求項１から請求項４の何れかに記載のイヤホン。
【請求項６】
前記突出部は第１通気孔を有する、
請求項１から請求項５の何れかに記載のイヤホン。
【請求項７】
前記ドライバ本体は、前記ドライバ本体の内部空間から外部へ連通する第２通気孔をさらに備え、
前記第１通気孔の断面積は、前記第２通気孔の断面積と同等である、
請求項６に記載のイヤホン。
【請求項８】
前記ドライバ本体は、前記ドライバ本体の内部空間から外部へ連通する第２通気孔をさらに備え、
前記第１通気孔の断面積は、前記第２通気孔の断面積より小さい、
請求項６に記載のイヤホン。
【請求項９】
前記突出部は前記ドライバ本体の内部空間を密閉する、
請求項１から請求項８の何れかに記載のイヤホン。
【請求項１０】
前記ドライバ本体は、前記第１端から前記第２端の長さが異なる複数の種類の前記突出部のいずれかが接続される、
請求項１から請求項９の何れかに記載のイヤホン。
【請求項１１】
前記突出部の表面は可撓性を有する、
請求項１から請求項１０の何れかに記載のイヤホン。
【請求項１２】
前記突出部は、前記第１端側で分岐する
請求項１から請求項１１の何れかに記載のイヤホン。